(57)【要約】【課題】握力の小さな作業者でもドリルの保持及び取外し作業を容易に行うことができるドリルチャック用操作工具を提供する。【解決手段】工具１１、１１′を２つ利用して、それぞれの工具１１、１１′のハンドル部１３を手で持ち、一方の工具１１でチャック本体９の側面を挟持し、他方１１′の工具でスリーブ１０の側面を挟持し、両者を相対的に回転させることにより、力の小さい作業者であってもドリルの保持及び取外し作業を容易に行うことができる。【選択図】図４
2012210693.tif 000002
【特許請求の範囲】
【請求項１】
チャック本体に回転可能に設けられたスリーブを、該チャック本体に対して相対的に正逆方向へ回転させることにより、ドリルを保持するためのチャック爪が開閉するボール盤のドリルチャック用操作工具であって、
先端側に互いにスリーブまたはチャック本体の側面を挟持可能な湾曲状の挟持面を有し且つ該挟持面が弾性部材で形成された挟持部と、
挟持部からジョイント部と対向する方向に一体的に連続形成され互いに近接する方向に湾曲形状を有し、ジョイント部のまわりに互いに近接・離反自在なハンドル部とから構成されていることを特徴とするボール盤のドリルチャック用操作工具。
【請求項２】
挟持面を形成する弾性部材が、着脱自在な樹脂部品であることを特徴とする請求項１記載のボール盤のドリルチャック用操作工具。
【請求項３】
チャック本体に回転可能に設けられたスリーブを、該チャック本体に対して相対的に正逆方向へ回転させることにより、ドリルを保持するためのチャック爪が開閉するボール盤のドリルチャック用操作工具であって、
概略Ｕ字形状を有しその内面の挟持面でスリーブまたはチャック本体の側面を挟持可能であり且つ挟持面が弾性部材で形成された挟持部と、
挟持部の両端部からそれぞれ一体的に連続形成されるハンドル部とから構成されることを特徴とするボール盤のドリルチャック用操作工具。
【発明の詳細な説明】
【技術分野】
【０００１】
本発明は、ボール盤のドリルチャック用操作工具に関するものである。
【背景技術】
【０００２】
従来より、ドリルを用いて孔あけ加工を行うための工作機械としてボール盤が知られている。この種のボール盤は、上下するドリルチャックに保持されたドリルで、テーブル上に保持された被加工品に孔あけ加工を行えるようになっている。
【０００３】
ドリルチャックは、ドリルを保持するチャック爪を内蔵したチャック本体と、チャック本体に回転自在に設けられたスリーブとから構成されており、スリーブを回転させることにより、チャック爪が開閉してドリルの保持及び取外しを行うことができる。実際には、チャック本体が回転しないように片方の手で強くつかみ、そのチャック本体に対してスリーブをもう片方の手で回転操作するようになっている（例えば、特許文献１参照）。
【先行技術文献】
【特許文献】
【０００４】
【特許文献１】特開２００２−３０７２１９号公報
【発明の概要】
【発明が解決しようとする課題】
【０００５】
しかしながら、このような従来の技術にあっては、チャック本体の側面と、スリーブの側面をそれぞれ手でもって回転操作する構造のため、ドリルを確実に保持した状態にするために強い力を必要とする。そのため、例えば女性など握力の小さい作業者の場合はドリルの保持及び取外し作業が大変に困難であった。
【０００６】
本発明は、このような従来の技術に着目してなされたものであり、握力の小さな作業者でもドリルの保持及び取外し作業を容易に行うことができるドリルチャック用操作工具を提供することを目的としている。
【課題を解決するための手段】
【０００７】
請求項１記載の発明は、チャック本体に回転可能に設けられたスリーブを、該チャック本体に対して相対的に正逆方向へ回転させることにより、ドリルを保持するためのチャック爪が開閉するボール盤のドリルチャック用操作工具であって、先端側にスリーブとチャック本体の各側面を挟持可能な湾曲状の挟持面を対向した状態で有し且つ該挟持面が弾性部材で形成された挟持部と、基端側に挟持部から一体的に連続形成されて互いに近接・離反自在なハンドル部とから構成されることを特徴とする。
【０００８】
請求項２記載の発明は、挟持面を形成する弾性部材が、着脱自在な樹脂部品であることを特徴とする。
【０００９】
請求項３記載の発明は、チャック本体に回転可能に設けられたスリーブを、該チャック本体に対して相対的に正逆方向へ回転させることにより、ドリルを保持するためのチャック爪が開閉するボール盤のドリルチャック用操作工具であって、概略Ｕ字形状を有しその内面の挟持面でスリーブまたはチャック本体の側面を挟持可能であり且つ挟持面が弾性部材で形成された挟持部と、挟持部の両端部からそれぞれ一体的に連続形成されるハンドル部とから構成されることを特徴とする。
【発明の効果】
【００１０】
請求項１記載の発明によれば、ドリルチャック用操作工具を２つ利用して、それぞれの工具のハンドル部を手で持ち、一方の工具でチャック本体の側面を挟持し、他方の工具でスリーブの側面を挟持し、両者を相対的に回転させることにより、力の小さい作業者であってもドリルの保持及び取外し作業を容易に行うことができる。挟持部の挟持面が湾曲しているため、スリーブとチャック本体の各側面との接触面積が大きくて確実に回転操作力を伝達することができる。また挟持面が弾性部材により形成されているため、スリーブとチャック本体の各側面を傷つけない。
【００１１】
請求項２記載の発明によれば、挟持面を形成する弾性部材が着脱自在な樹脂部品であるため、挟持面の修理交換が容易である。
【００１２】
請求項３記載の発明によれば、力の小さい作業者であってもドリルの保持及び取外し作業を容易に行うことができる。また構造がシンプルであるため工具の製作工程が簡単化される。
【図面の簡単な説明】
【００１３】
【図１】ボール盤を示す側面図。
【図２】ドリルチャックを示す斜視図。
【図３】ドリルチャック用操作工具を示す図。
【図４】工具での作業状態を示す斜視図。
【図５】ドリルチャック用操作工具の変更実施例を示す図。
【発明を実施するための形態】
【００１４】
図１〜図５は、本発明の好適な実施形態を示す図である。この実施形態に係るボール盤１は卓上型で、図示せぬ作業台の上に設置されており、全体として高い位置にある。
【００１５】
ベース２、支柱３、テーブル４を備え、ハンドル５を回すことにより、ドリルチャック６に保持されたドリル７が回転しながら下降し、テーブル４上に固定された被加工品に孔あけ加工を行うことができる。
【００１６】
ドリルチャック６は、ドリル７を保持するチャック爪８を内蔵したチャック本体９と、チャック本体９に回転自在に設けられたスリーブ１０とから構成されている。そして、チャック本体９を固定した状態で、チャック本体９に対してスリーブ１０を相対的に正逆方向へ回転させることにより、チャック爪８が開閉してドリル７の保持及び取外しが行えるようになっている。
【００１７】
このようなドリル７の保持及び取外し作業は一対の工具１１、１１′を用いて行う。この工具１１、１１′は、先端側に互いに対向した状態で設けられた挟持部１２と、該挟持部１２から一体的に連続形成されたハンドル部１３を有した構造をしている。挟持部１２とハンドル部１３の途中にジョイント部として回転軸１４を有し、ハンドル部１３をつかんで操作することにより、挟持部１２が回転軸１４のまわりに回動して先端の挟持部１２が互い近接・離反する構造になっている。
【００１８】
ハンドル部１３は操作中に掌握しやすいように相互に近接する方向（内側）に湾曲しているため、指と掌でハンドル部１３全体を包み込むようにして片手により工具１１、１１′を支持することができる。
【００１９】
挟持部１２は互いに凹の状態で向かい合う湾曲形状になっていて、その互いに対向面には湾曲した挟持面１５を有する樹脂部品（弾性部材）１６が着脱自在に取付けられている。この着脱構造はクリップ係合など既知の構造が採用される。
【００２０】
実際に使用する際には、図４に示すように、一方の工具１１の挟持部１２でチャック本体９の側面を挟持して固定し、他方の工具１１′の挟持部１２でスリーブ１０の側面を挟持して回転させ、ドリル７の保持及び取外し作業を行う。
【００２１】
工具１１、１１′で挟持して回転作業を行うため、力の弱い女性作業者であっても、スリーブ１０を確実に回転させて、ドリル７の確実な保持及び取外しを行うことができる。
【００２２】
また操作を行う際に、挟持部１２の挟持面１５が湾曲しているため、スリーブ１０とチャック本体９の各側面との接触面積が大きくて確実に回転操作力を伝達することができる。また挟持面１５が樹脂部品１６により形成されているため、スリーブ１０とチャック本体９の各側面を傷つけない。更に、樹脂部品１６が着脱自在なため、挟持面１５の修理交換が容易である。なお、本実施形態では２つの工具１１、１１′を用いたが、たとえば作業者が右利きの場合には左手では工具１１を使用し右手では手を用いて作業してもよい。
【００２３】
（変更実施形態）
以上の実施形態では、回転軸１４を有する構造の工具１１、１１′を例にしたが、図５に示すように、回転軸がなく概略Ｕ字形をしており、先端がＵ字の挟持部２１で、基端側が一対のハンドル部２２となる構造の工具２３でも良い。より詳細には工具２３の挟持部２１は概略Ｕ字形状（またはＣ字形状）に湾曲した形状を有しその内面が挟持面２４としてスリーブまたはチャック本体の側面を挟持可能である。
【００２４】
ハンドル部２２は挟持部２１の両端部からそれぞれ一体的に連続形成され、挟持部２１の弾性により互いに所定の間隔を維持している。したがって挟持部２１の両端部を互いに近接させることによって挟持部２１の挟持面２４が内側に変形し、スリーブまたはチャック本体の側面を挟持することができる。すなわち、工具２３のハンドル部２２を狭めることによりＵ字状の挟持部２１の実効径が小さくなり、チャック本体及びスリーブを挟持可能な構造となる。また、ハンドル部２２を開放すれば挟持部２１の弾性によりＵ字状の径が初期状態に戻ってチャック本体またはスリーブからはずれる。
【符号の説明】
【００２５】
１  ボール盤
６  ドリルチャック
７  ドリル
８  チャック爪
９  チャック本体
１０  スリーブ
１１、１１′、２３  工具
１２、２１  挟持部
１３、２２  ハンドル部
１５、２４  挟持面
１６  樹脂部品（弾性部材）
【図１】
2012210693.tif 000003
【図２】
2012210693.tif 000004
【図３】
2012210693.tif 000005
【図４】
2012210693.tif 000006
【図５】
2012210693.tif 000007